(57)【要約】【課題】最適な水加減を得ることに加え、最適な炊飯制御を行うことを可能とした炊飯器を提供することを目的とするものである。【解決手段】測定台３１を通じて炊飯器本体２１と鍋２３の内容物の重量が板バネ３４と歪みセンサー３５を有する重量計測手段３０により計測されるようにしたもので、重量計測手段３０は、鍋２３とともに米や水の重量を測定して最適な水加減を得ることができるとともに、閉蓋しての炊飯中の重量も常に測定しているため、炊飯中の重量変化に基づく最適な炊飯制御を行うことも可能となるものである。【選択図】  図１
2004248804.tif 000002
【特許請求の範囲】
【請求項１】
炊飯器本体と、前記炊飯器本体が着脱自在に載置される計測本体とを備え、前記炊飯器本体は、鍋と、鍋を加熱する鍋加熱手段と、鍋の開口部を覆う蓋を有し、前記計測本体は、炊飯器本体の重量を計測する重量計測手段を有し、前記重量計測手段は、炊飯器本体の載置時にその重量により撓む板バネと、板バネの撓みを検出する歪みセンサーとを有する炊飯器。
【請求項２】
炊飯器本体と、前記炊飯器本体が着脱自在に載置される計測本体とを備え、前記炊飯器本体は、鍋と、鍋を加熱する鍋加熱手段と、鍋の開口部を覆う蓋を有し、前記計測本体は、炊飯器本体の重量を計測する重量計測手段を有し、前記重量計測手段は、フェライトとフェライトの周囲に位置するコイルとを有し、フェライトとコイルのいずれか一方を炊飯器本体の載置時に移動するようにしてコイルのインダクタンス変化により重量計測した炊飯器。
【請求項３】
炊飯器本体と、前記炊飯器本体が着脱自在に載置される計測本体とを備え、前記炊飯器本体は、鍋と、鍋を加熱する鍋加熱手段と、鍋の開口部を覆う蓋を有し、前記計測本体は、炊飯器本体の重量を計測する重量計測手段を有し、前記重量計測手段は、磁石と磁石近傍のホール素子とを有し、磁石とホール素子のいずれか一方を炊飯器本体の載置時に移動するようにしてホール素子の出力変化により重量計測した炊飯器。
【請求項４】
炊飯器本体と、前記炊飯器本体が着脱自在に載置される計測本体とを備え、前記炊飯器本体は、鍋と、鍋を加熱する鍋加熱手段と、鍋の開口部を覆う蓋を有し、前記計測本体は、炊飯器本体の重量を計測する重量計測手段を有し、前記重量計測手段は、一対の電極を有し、一方の電極を炊飯器本体の載置時に移動するようにして電極の静電容量変化により重量計測した炊飯器。
【発明の詳細な説明】
【０００１】
【発明の属する利用分野】
本発明は最適な水加減を得るとともに最適な炊飯制御が可能な炊飯器に関するものである。
【０００２】
【従来の技術】
従来から、米や水の重量を重量検知手段により測定し最適な水加減を得るようにした炊飯器は知られている（例えば、特許文献１参照）。
【０００３】
これは、図５に示すような構成であり、使用者が３合の米を洗米して鍋１に入れ、水位は大まかに合わせておく。そして、鍋１を本体２に収納すると、鍋１とその内容物の重量が加熱手段３に加わり、加熱手段３はスプリング４を圧縮し、スプリング４の力と重量がバランスしたところで停止する。この時、電極上５、電極下６間の容量は、重量検知手段７によって検出され、マイコン８に入力される。変換手段９によって変換された表示データは、表示手段１０に送られ表示される。例えば「２．５合」と表示されると、使用者は鍋１に３合の米を入れたことを覚えているので「３．０合」と表示されるまで水を加えるものである。
【０００４】
【特許文献１】
特開平１−２０４６２３号公報
【０００５】
【発明が解決しようとする課題】
しかしながら、前記従来の炊飯器においては、鍋とともに米や水の重量を測定するため最適な水加減を得ることはできるが、閉蓋しての炊飯中の重量は測定していないため、炊飯中の重量変化に基づく最適な炊飯制御を行うことは不可能なものである。
【０００６】
本発明は、前記従来の課題を解決するもので、炊飯中の重量変化に基づく最適な炊飯制御を行うことも可能とした炊飯器を提供することを目的とするものである。
【０００７】
【課題を解決するための手段】
前記目的を達成するために、本発明の炊飯器は、炊飯器本体と、炊飯器本体が着脱自在に載置される計測本体とを備えたもので、計測本体には、炊飯器本体の重量を計測する重量計測手段を有した炊飯器としたものである。
【０００８】
これにより、重量計測手段は、鍋とともに米や水の重量を測定して最適な水加減を得ることができるとともに、閉蓋しての炊飯中の重量も常に測定しているため、炊飯中の重量変化に基づく最適な炊飯制御を行うことも可能となるものである。
【０００９】
【発明の実施の形態】
請求項１に記載の発明は、炊飯器本体と、前記炊飯器本体が着脱自在に載置される計測本体とを備え、前記炊飯器本体は、鍋と、鍋を加熱する鍋加熱手段と、鍋の開口部を覆う蓋を有し、前記計測本体は、炊飯器本体の重量を計測する重量計測手段を有し、前記重量計測手段は、炊飯器本体の載置時にその重量により撓む板バネと、板バネの撓みを検出する歪みセンサーとを有する炊飯器とすることにより、重量計測手段は、鍋とともに米や水の重量を測定して最適な水加減を得ることができるとともに、閉蓋しての炊飯中の重量も常に測定しているため、炊飯中の重量変化に基づく最適な炊飯制御を行うことも可能となるものである。また、重量計測手段の構成も板バネと歪みセンサーを有する簡易なものとなっている。
【００１０】
請求項２に記載の発明は、炊飯器本体と、前記炊飯器本体が着脱自在に載置される計測本体とを備え、前記炊飯器本体は、鍋と、鍋を加熱する鍋加熱手段と、鍋の開口部を覆う蓋を有し、前記計測本体は、炊飯器本体の重量を計測する重量計測手段を有し、前記重量計測手段は、フェライトとフェライトの周囲に位置するコイルとを有し、フェライトとコイルのいずれか一方を炊飯器本体の載置時に移動するようにしてコイルのインダクタンス変化により重量計測した炊飯器とすることにより、最適な水加減を得るとともに、炊飯中の重量変化に基づく最適な炊飯制御を行うことも可能となり、また、重量計測手段の構成も非接触でフェライトとコイルを有する簡易なものとなっている。
【００１１】
請求項３に記載の発明は、炊飯器本体と、前記炊飯器本体が着脱自在に載置される計測本体とを備え、前記炊飯器本体は、鍋と、鍋を加熱する鍋加熱手段と、鍋の開口部を覆う蓋を有し、前記計測本体は、炊飯器本体の重量を計測する重量計測手段を有し、前記重量計測手段は、磁石と磁石近傍のホール素子とを有し、磁石とホール素子のいずれか一方を炊飯器本体の載置時に移動するようにしてホール素子の出力変化により重量計測した炊飯器とすることにより、最適な水加減を得るとともに、炊飯中の重量変化に基づく最適な炊飯制御を行うことも可能となり、また、重量計測手段の構成も非接触で磁石とホール素子を有する簡易なものとなっている。
【００１２】
請求項４に記載の発明は、炊飯器本体と、前記炊飯器本体が着脱自在に載置される計測本体とを備え、前記炊飯器本体は、鍋と、鍋を加熱する鍋加熱手段と、鍋の開口部を覆う蓋を有し、前記計測本体は、炊飯器本体の重量を計測する重量計測手段を有し、前記重量計測手段は、一対の電極を有し、一方の電極を炊飯器本体の載置時に移動するようにして電極の静電容量変化により重量計測した炊飯器とすることにより、最適な水加減を得るとともに、炊飯中の重量変化に基づく最適な炊飯制御を行うことも可能となり、また、重量計測手段の構成も一対の電極を有する簡易なものとなっている。
【００１３】
【実施例】
以下、本発明の実施例について、図面を参照して説明する。
【００１４】
（実施例１）
図１は本発明の実施例１における炊飯器を示すものである。
【００１５】
図に示すように、炊飯器本体２１は、保護枠２２と、保護枠２２内に着脱自在に装備した鍋２３と、鍋２３の開口部を開閉自在に覆う蓋２４と、鍋２３を加熱する鍋加熱手段２５と、スプリング２６により付勢されて鍋２３底と接し鍋温度を検知する上下移動可能な鍋温度検知手段２７と、鍋加熱手段２５を制御する制御手段２８とを有している。
【００１６】
また、炊飯器本体２１の全体が着脱自在に載置される計測本体２９は、炊飯器本体２１全体の重量を計測する重量計測手段３０を有している。この重量計測手段３０は、炊飯器本体２１の底部の凹部２１ａと合致して炊飯器本体２１全体の重量を受ける測定台３１と、測定台３１の中央底部の突出部３１ａを案内して測定台３１が精度良く上下するよう支持する支持台３２と、測定台３１の突出部３１ａ底面と当接部材３３を介して当接し炊飯器本体２１の載置時にその重量により撓む板バネ３４と、板バネ３４に設けられその撓みを検出する歪みセンサー３５とを有している。板バネ３４の当接部材３３と反対側の端部は、計測本体２９に固定されているものである。
【００１７】
そしてまた、計測本体２９内には、重量計測手段３０による重量計測結果を反映させる制御手段３６が設けられ、計測本体２９外には、制御手段３６に応じた表示を行う表示兼操作部３７が設けられている。
【００１８】
制御手段３６は、制御手段２８と統一して一つにすることも可能であり、鍋２３とともに米や水の重量測定結果に基づく最適な水加減を表示するように制御したり、炊飯中の重量変化に基づく最適な炊飯制御を行うことを可能としている。また、表示兼操作部３７は、ここから炊飯操作が可能なものであり、米計量スイッチ、水計量スイッチ、炊飯スイッチなど（何れも図示せず）を備えているとともに、重量計測手段３０による米量や水量表示などが制御手段３６を通して行うことができるようになっている。
【００１９】
次に、上記構成において動作を説明する。
【００２０】
まず、表示兼操作部３７の米計量スイッチを押して米を鍋２３に入れると、炊飯器本体２１と鍋２３中の米の重量が、測定台３１を通じて板バネ３４と歪みセンサー３５を有する重量計測手段３０により計測され、表示兼操作部３７に米何カップと表示される。次に水計量スイッチを押すと、米量に応じて必要な水量が表示兼操作部３７に表示される（少なめ、最適、多めと言う風に）。ここで、無洗米の場合は、所望の水量位置（例えば、最適位置）になるまで水を入れ、炊飯スイッチを押すと、炊飯が開始する。普通の米の場合は、鍋２３を取り出して洗米した後、再度鍋２３を炊飯器本体２１にセットし、無洗米の時と同様、所望の水量位置になるまで水を入れ、炊飯スイッチを押すと、炊飯が開始する。
【００２１】
そして、重量計測手段３０は、鍋２３だけでなく炊飯器本体２１全体の重量を常に計測しているため、制御手段３６を通して炊飯中の重量変化に基づく最適な炊飯制御を行うことを可能としているものである。
【００２２】
以上のように、本実施例によれば、重量計測手段３０は、鍋２３とともに米や水の重量を測定して最適な水加減を得ることができるとともに、閉蓋しての炊飯中の重量も常に測定しているため、炊飯中の重量変化に基づく最適な炊飯制御を行うことも可能となるものである。また、重量計測手段３０の構成も板バネと歪みセンサーを有する簡易なものとなっている。
【００２３】
（実施例２）
次に、本発明の実施例２について、図２を参照しながら説明する。炊飯器としての基本構成は実施例１と同様であるので同一要素については同一符号を付して説明を省略し、相違点を中心に説明する。
【００２４】
図に示すように、測定台３１の突出部３１ａ内部にフェライト３８を設け、フェライト３８の周囲に位置してコイル３９を設けている。測定台３１の突出部３１ａの下端は板バネ３４に設けた当接部材３３と当接している。この実施例における板バネ３４は、測定台３１を鍋底側に常時付勢する単なるバネとして機能しているものである。これにより、コイル３９のインダクタンス変化により重量計測を行う重量計測手段３０を構成している。
【００２５】
なお、コイル３９を測定台３１の突出部３１ａに、フェライト３８をコイル３９の周囲に位置して設けても良い。
【００２６】
上記構成において、測定台３１に鍋２３の加重が掛かると、フェライト３８とコイル３９の位置がずれて、コイル３９のインダクタンスが変化し重量変化として重量計測手段３０は読み取ることができる。これにより、実施例１と同様、鍋２３とともに米や水の重量を測定して最適な水加減を得ることができるとともに、炊飯中の重量変化に基づく最適な炊飯制御を行うことも可能となるものである。また、重量計測手段３０の構成も非接触でフェライト３８とコイル３９を有する簡易なものとなっている。
【００２７】
（実施例３）
次に、本発明の実施例３について、図３を参照しながら説明する。炊飯器としての基本構成は実施例１と同様であるので同一要素については同一符号を付して説明を省略し、相違点を中心に説明する。
【００２８】
図に示すように、測定台３１の突出部３１ａ内部に磁石４０を設け、磁石４０の周囲に位置してホール素子４１を設けている。測定台３１の突出部３１ａの下端は板バネ３４に設けた当接部材３３と当接している。この実施例における板バネ３４の機能は、実施例２と同様である。これにより、ホール素子４１の出力変化により重量計測を行う重量計測手段３０を構成している。
【００２９】
なお、ホール素子４１を測定台３１の突出部３１ａに、磁石４０をホール素子４１の周囲に位置して設けても良い。
【００３０】
上記構成において、測定台３１に鍋２３の加重が掛かると、磁石４０とホール素子４１の位置がずれて、ホール効果でホール素子４１の出力が変化し重量変化として重量計測手段３０は読み取ることができる。これにより、実施例１と同様、鍋２３とともに米や水の重量を測定して最適な水加減を得ることができるとともに、炊飯中の重量変化に基づく最適な炊飯制御を行うことも可能となるものである。また、重量計測手段３０の構成も非接触で磁石４０とホール素子４１を有する簡易なものとなっている。
【００３１】
（実施例４）
次に、本発明の実施例４について、図４を参照しながら説明する。炊飯器としての基本構成は実施例１と同様であるので同一要素については同一符号を付して説明を省略し、相違点を中心に説明する。
【００３２】
図に示すように、測定台３１の突出部３１ａの下方に位置して相対向した一対の電極４２、４３を設け、一方の電極４２は定位置に固定し、他方の電極４３は当接部材４５を突出部３１ａの下端に当接させており、測定台３１を鍋底側に常時付勢する板バネとしても機能しているものである。当接部材４５は電極４２に設けた穴を通して突出部３１ａの下端に当接しているものである。これにより、電極４２、４３の静電容量変化により重量計測を行う重量計測手段３０を構成している。
【００３３】
上記構成において、測定台３１に鍋２３の加重が掛かると、電極４３が撓むことで、電極４２、４３間の距離が変化し、これにより静電容量の変化を重量変化として重量計測手段３０は読み取ることができる。これにより、実施例１と同様、鍋２３とともに米や水の重量を測定して最適な水加減を得ることができるとともに、炊飯中の重量変化に基づく最適な炊飯制御を行うことも可能となるものである。また、重量計測手段３０の構成も一対の電極４２、４３を有する簡易なものとなっている。
【００３４】
【発明の効果】
以上のように、本発明の炊飯器によれば、炊飯器本体と、炊飯器本体が着脱自在に載置される計測本体とを備えたもので、計測本体には、炊飯器本体の重量を計測する重量計測手段を有した炊飯器としたものでり、重量計測手段は、鍋とともに米や水の重量を測定して最適な水加減を得ることができるとともに、閉蓋しての炊飯中の重量も常に測定しているため、炊飯中の重量変化に基づく最適な炊飯制御を行うことも可能となるものである。
【図面の簡単な説明】
【図１】本発明の実施例１における炊飯器の断面図
【図２】本発明の実施例２における炊飯器の重量計測手段を示す構成図
【図３】本発明の実施例３における炊飯器の重量計測手段を示す構成図
【図４】本発明の実施例４における炊飯器の重量計測手段を示す構成図
【図５】従来の炊飯器の断面図
【符号の説明】
２１  炊飯器本体
２３  鍋
２４  蓋
２５  鍋加熱手段
２９  計測本体
３０  重量計測手段
３４  板バネ
３５  歪みセンサー
３８  フエライト
３９  コイル
４０  磁石
４１  ホール素子
４２、４３  電極
【図１】
2004248804.tif 000003
【図２】
2004248804.tif 000004
【図３】
2004248804.tif 000005
【図４】
2004248804.tif 000006
【図５】
2004248804.tif 000007